(57)【要約】【課題】対象ユーザと所定の関係に設定されるユーザの候補を、より適切に選別して提案すること。【解決手段】無線通信を行う通信部の通信履歴を取得し、該通信履歴に含まれる無線通信の相手先のユーザのうち設定条件を満たすユーザを、ネットワークシステムにおいて、前記通信部を使用するユーザと所定の関係に設定されるユーザの候補として、前記通信部を使用するユーザに提案する提案部と、前記提案されるユーザの候補のうち、前記通信部を使用するユーザにより指定されたユーザの識別情報を、前記通信部を使用するユーザと所定の関係に設定されたユーザとして記憶部に登録させる登録部と、を備えるユーザ管理装置。【選択図】図６
2015072603.tif 000002
【特許請求の範囲】
【請求項１】
無線通信を行う通信部の通信履歴を取得し、該通信履歴に含まれる無線通信の相手先のユーザのうち設定条件を満たすユーザを、ネットワークシステムにおいて、前記通信部を使用するユーザと所定の関係に設定されるユーザの候補として、前記通信部を使用するユーザに提案するための処理を行う提案部と、
前記提案されるユーザの候補のうち、前記通信部を使用するユーザにより指定されたユーザの識別情報を、前記通信部を使用するユーザと所定の関係に設定されたユーザとして記憶部に登録させる登録部と、
を備えるユーザ管理装置。
【請求項２】
請求項１記載のユーザ管理装置であって、
前記提案部は、前記相手先のユーザのうち前記通信部が所定のコンテンツデータの送信または受信を行った相手先のユーザを、前記通信部を使用するユーザに提案するための処理を行う、
ユーザ管理装置。
【請求項３】
請求項２記載のユーザ管理装置であって、
前記所定のコンテンツデータは、画像データ、音楽データ、振動データの一部または全部を含む、
ユーザ管理装置。
【請求項４】
請求項１から３のうちいずれか１項記載のユーザ管理装置であって、
前記提案部は、前記相手先のユーザのうち、前記ネットワークシステム上で設定されているプロフィール情報が、前記通信部を使用するユーザのプロフィール情報と一致または類似する相手先のユーザを、前記通信部を使用するユーザに提案するための処理を行う、
ユーザ管理装置。
【請求項５】
コンピュータに、
無線通信を行う通信部の通信履歴を取得させ、
該通信履歴に含まれる無線通信の相手先のユーザのうち設定条件を満たすユーザを、ネットワークシステム上で、前記通信部を使用するユーザと所定の関係に設定されるユーザの候補として、前記通信部を使用するユーザに提案するための処理を行わせ、
前記提案されるユーザの候補のうち、前記通信部を使用するユーザにより指定されたユーザの識別情報を、前記通信部を使用するユーザと所定の関係に設定されたユーザとして記憶部に登録させる、
ユーザ管理プログラム。
【発明の詳細な説明】
【技術分野】
【０００１】
本発明は、ユーザ管理装置、およびユーザ管理プログラムに関する。
【背景技術】
【０００２】
複数の通信処理装置間における近接通信の実行事実が確認されたことを条件として、通信処理装置のユーザをコミュニティメンバーとして登録する情報管理装置が知られている（例えば、特許文献１参照）。
【先行技術文献】
【特許文献】
【０００３】
【特許文献１】特開２００９―２９５０６７号公報
【発明の概要】
【発明が解決しようとする課題】
【０００４】
しかしながら、近年では、端末装置同士が接近すると自動的に通信を行うような仕組みも存在し、近接通信が行われたからといって、対象ユーザと、その通信相手の他のユーザとを、直ちに所定の関係に設定するのは適切でない場合がある。
【０００５】
本発明は、このような事情を考慮してなされたものであり、対象ユーザと所定の関係に設定されるユーザの候補を、より適切に選別して提案することを目的の一つとする。
【課題を解決するための手段】
【０００６】
本発明の一態様は、無線通信を行う通信部の通信履歴を取得し、該通信履歴に含まれる無線通信の相手先のユーザのうち設定条件を満たすユーザを、ネットワークシステムにおいて、前記通信部を使用するユーザと所定の関係に設定されるユーザの候補として、前記通信部を使用するユーザに提案するための処理を行う提案部と、前記提案されるユーザの候補のうち、前記通信部を使用するユーザにより指定されたユーザの識別情報を、前記通信部を使用するユーザと所定の関係に設定されたユーザとして記憶部に登録させる登録部と、を備えるユーザ管理装置である。
本発明の他の態様は、コンピュータに、無線通信を行う通信部の通信履歴を取得させ、該通信履歴に含まれる無線通信の相手先のユーザのうち設定条件を満たすユーザを、ネットワークシステムにおいて、前記通信部を使用するユーザと所定の関係に設定されるユーザの候補として、前記通信部を使用するユーザに提案するための処理を行わせ、前記提案されるユーザの候補のうち、前記通信部を使用するユーザにより指定されたユーザの識別情報を、前記通信部を使用するユーザと所定の関係に設定されたユーザとして記憶部に登録させる、ユーザ管理プログラムである。
【発明の効果】
【０００７】
本発明の一態様によれば、対象ユーザと所定の関係に設定されるユーザの候補を、より適切に選別して提案することができる。
【図面の簡単な説明】
【０００８】
【図１】本発明の第１実施形態に係る複数の端末装置１―１、１―２、１―３、‥と、サーバ装置１００の機能構成を示す図である。
【図２】本発明の第１実施形態に係る端末装置１の外観構成の一例を示す図である。
【図３】本発明の第１実施形態に係る端末装置１の機能構成の一例を示す構成図である。
【図４】通信履歴６２として記憶部６０に格納されるデータの一例を示す図である。
【図５】友達リスト１４２に登録するユーザの候補が提案される際にタッチパネル１０に表示される表示画面の一例を示す図である。
【図６】第１実施形態に係る端末装置１により実行される処理の流れを示すフローチャートの一例である。
【図７】本発明の第２実施形態に係る複数の端末装置１―１、１―２、１―３、‥と、サーバ装置１００の機能構成を示す図である。
【図８】本発明の第３実施形態に係る端末装置１の機能構成の一例を示す構成図である。
【図９】第３実施形態において、プロフィール情報１４６をサーバ装置１００が保持する場合に行われる処理を模式的に示す図である。
【図１０】本発明の第４実施形態に係る複数の端末装置１―１、１―２、１―３、‥と、サーバ装置１００の機能構成を示す図である。
【発明を実施するための形態】
【０００９】
以下、図面を参照し、本発明のユーザ管理装置、およびユーザ管理プログラムの実施形態について説明する。
＜第１実施形態＞
図１は、本発明の第１実施形態に係る複数の端末装置１―１、１―２、１―３、‥と、サーバ装置１００の機能構成を示す図である。各端末装置（以下、いずれの端末装置であるかを区別しないときは、単に端末装置１と称する）は、ネットワークＮＷを介してサーバ装置１００に接続する。第１実施形態において、各端末装置１がユーザ管理装置に相当する。ネットワークＮＷは、ＬＡＮ、携帯電話網、ＰＨＳ網、インターネットなどを含む。
【００１０】
先に、サーバ装置１００について説明する。サーバ装置１００は、例えばＷｅｂサーバであり、通信部１１０と、サイト管理部１２０と、記憶部１４０とを備える。通信部１１０は、例えばネットワークＮＷに接続するためのネットワークカードである。サイト管理部１２０は、例えばサーバ装置１００のＣＰＵ（Central  Processing  Unit）がプログラムを実行することにより機能するソフトウェア機能部である。サイト管理部１２０は、記憶部１４０に識別情報（任意に設定されたユーザＩＤ、電子メールのアドレス、電話番号、その他をいう）が登録されたユーザがコミュニティサイトにログインすると、例えば以下の処理を行う。サイト管理部１２０は、コンテンツデータ１４４のうち、ログインしたユーザ自身がアップロードしたコンテンツデータ、および、ログインしたユーザを友達リスト１４２に登録している他のユーザのアップロードしたコンテンツデータを、ログインしたユーザに提供する。友達リスト１４２は、例えば、ユーザ毎に、他のユーザを登録したものである。コンテンツデータ１４４には、例えば、各ユーザによってアップロードされた写真、動画像、音楽、振動データ、予定表などが含まれる。このように、あるユーザＡが他のユーザＢを自分の友達リスト１４２に登録すると、ネットワークシステム上で提供されるコミュニティサイト等において、ユーザＢがユーザＡのアップロードしたコンテンツを利用（閲覧、視聴等することをいう）できる等の「所定の関係」に設定される。なお、「友達リスト」という名称は便宜的なものであり、他の名称が使用されてもよい。
【００１１】
図２は、本発明の第１実施形態に係る端末装置１の外観構成の一例を示す図である。また、図３は、本発明の第１実施形態に係る端末装置１の機能構成の一例を示す構成図である。以下、各実施形態において、ＸＹＺ直交座標系を用いて端末装置１の構成を説明する。ＸＹＺ直交座標系は、端末装置１を基準とした座標系である。ＸＹＺ直交座標系において、端末装置１の各構成要素の積層方向をＺ方向とする。また、Ｚ方向に直交する平面をＸＹ平面とし、ＸＹ平面において直交する方向をそれぞれＸ方向及びＹ方向とする。
【００１２】
端末装置１は、例えば、Ｚ方向視で略矩形の形状を有し、タッチパネル１０、本体部２０、背面カバー３０がＺ方向に積層された構成となっている。図２（Ａ）は、端末装置１をタッチパネル１０側から見た図であり、図２（Ｂ）は、電子機器を背面カバー３０側から見た図である。
【００１３】
タッチパネル１０は、本体部２０に収容された制御部９０から入力される画像を表示すると共に、その表示面にユーザが指などで触れた接触位置（座標）を検出し、制御部９０に出力する。タッチパネル１０は、例えば、画像を表示する液晶ディスプレイ装置と接触検知機構が組みわされて構成される。接触検知機構としては種々のものを用いることができ、例えば、抵抗膜方式、静電容量方式、赤外線方式、表面弾性波方式などの種々の方式を利用した接触検知機構が採用され得る。また、ＬＣＤに代えて有機ＥＬ（Electroluminescence）表示装置などが用いられてもよい。
【００１４】
本体部２０は、筐体内に、図３に示す撮像部（カメラ）４０、通信部５０、Ｉ／Ｏ部５２、記憶部６０、スピーカ７０、加速度センサ７５、振動発生部８０、制御部９０などを収容する。また、本体部２０は、電源回路やバッテリ、ＧＰＳ（Global  Positioning  System）受信機などを筐体に収容してもよい。背面カバー３０には、孔部３２が形成され、撮像部４０のレンズ４２を露出させている。また、背面カバー３０には、撮像部４０を操作するためのリリースボタンなど、各種操作スイッチを搭載可能なマウント部３５が取り付けられる。
【００１５】
撮像部４０は、例えば、ＣＣＤ（Charge  Coupled  Device）やＣＭＯＳ（Complementary  Metal  Oxide  Semiconductor）などの固体撮像素子を利用したデジタルカメラである。なお、撮像部４０は、ビデオカメラであってもよい。
【００１６】
通信部５０は、例えば、Ｗｉ−Ｆｉ（登録商標）などの無線ＬＡＮ網、Ｂｌｕｅｔｏｏｔｈ（登録商標）、赤外線通信、携帯電話網、ＰＨＳ網などを利用した無線通信を行う。通信部５０は、ネットワークＮＷに含まれるアクセスポイントや無線基地局との間で無線通信を行う他、Ｂｌｕｅｔｏｏｔｈや赤外線通信を用いて、或いはアクセスポイントのみを介して端末装置１同士で通信を行うことができる。通信部５０は、端末装置１が有線接続された際に通信インターフェースとして機能するネットワークカードなどを含んでもよい。Ｉ／Ｏ部５２は、例えば、ＵＳＢ（Universal  Serial  Bus）端子やＨＤＭＩ（登録商標；High  Definition  Multimedia  Interface）端子、ＳＤカードなどが装着される端子などを含む。
【００１７】
記憶部６０は、例えば、フラッシュメモリ、ＨＤＤ（Hard  Disk  Drive）、ＲＡＭ（Random  Access  Memory）、ＲＯＭ（Read  Only  Memory）、レジスタなどの記憶装置である。記憶部６０には、制御部９０のＣＰＵ（Central  Processing  Unit）が実行するプログラム（ファームウェア）が予め格納される。また、記憶部６０には、通信部５０の通信履歴６２、撮像部４０により撮像された画像、Ｉ／Ｏ部５２に装着された機器から、或いはネットワークＮＷを介して他の装置から取得した画像データ（動画像データを含む）、音楽データ、振動データなどのコンテンツデータ６４が格納される。
【００１８】
スピーカ７０は、制御部９０により生成された音声データに基づき、音声を出力する。加速度センサ７５は、例えば３軸式の加速度センサであり、端末装置１に対してＸ方向、Ｙ方向、Ｚ方向にそれぞれ作用する加速度（重力加速度を含む）を検出し、検出結果を制御部９０に出力する。
【００１９】
振動発生部８０は、制御部９０により生成された振動データに基づき、振動を発生させる。振動発生部８０は、例えば、端末装置１の四隅付近に配設された複数の振動子を備える。各振動子は、例えば背面カバー３０に取り付けられる。振動子としては、例えば、ボイスコイルモータ（ＶＣＭ）やピエゾ、偏心モータなどが用いられる。
【００２０】
制御部９０は、端末装置１全体の制御を行う。制御部９０は、ＣＰＵが記憶部６０に格納されたプログラムを実行することにより機能するソフトウェア機能部として、友達リスト登録提案部９２と、友達リスト登録依頼部９４とを備える。
【００２１】
友達リスト登録提案部９２は、所定の提案タイミングで通信部５０の通信履歴６２を取得し、通信履歴６２に含まれる無線通信の相手先のユーザのうち設定条件を満たすユーザを、友達リスト１４２に登録するユーザの候補として、タッチパネル１０やスピーカ７０などを用いて当該端末装置１のユーザに提案する。「所定の提案タイミング」は、例えば、（１）通信部５０が通信を行った度に、或いは（２）１時間に１回、（３）１日１回などと任意に設定することができる。
【００２２】
図４は、通信履歴６２として記憶部６０に格納されるデータの一例を示す図である。図４に示すように、通信履歴６２には、通信が行われた日時、相手先の端末装置１の識別情報（ＭＡＣアドレスやＩＰアドレスなどの通信ＩＤだけでなく、ユーザＩＤなどを含んでもよいし、電話番号などでもよい）、経由したアクセスポイントやネットワークの情報、送受信されたデータの種別、友達リスト１４２に登録することを提案済であるか未提案であるかを示す情報などが含まれる。
【００２３】
ここで、本実施形態に係る端末装置１は、端末装置１同士のすれ違い時などに自動的に通信を行い、通信の相手先の情報を取得する機能を有している。従って、通信履歴に係る相手先を全て、友達リスト１４２に自動的に登録する場合、登録されたユーザの数が過剰になったり、セキュリティ上の問題が生じたりするため、適切でない。
【００２４】
そこで、友達リスト登録提案部９２は、通信履歴６２に含まれる無線通信の相手先のユーザのうち、所定のコンテンツデータを送受信した相手先のユーザを、友達リスト１４２に登録されるユーザの候補として、タッチパネル１０やスピーカ７０などを用いて当該端末装置１のユーザに提案する。所定のコンテンツデータは、例えば、画像データ、音楽データ、振動データ等の一部または全部を含む。図４において通信履歴「２」の相手先は、送受信したデータが端末識別情報のみであるため、「所定のコンテンツデータを送受信した相手先」に該当せず、友達リスト１４２に登録するユーザの候補として提案されない。
【００２５】
図５は、友達リスト１４２に登録するユーザの候補が提案される際にタッチパネル１０に表示される表示画面の一例を示す図である。「ユーザを提案する」ことには、ユーザが使用する端末装置１のＭＡＣアドレスやＩＰアドレスなどの通信ＩＤを提示することが含まれてもよい。これを提案されたユーザは、該当する時刻に所定のコンテンツデータを送受信したという情報に基づいて、無線通信を行った相手を特定する（思い出す）ことができるからである。
【００２６】
友達リスト登録依頼部９４は、提案されたユーザの候補のうち、当該端末装置１のユーザにより指定されたユーザの識別情報を、友達リスト１４２に登録するように、通信部５０を用いてサーバ装置１００に依頼する。なお、友達リスト１４２に登録するユーザの指定は、提案後に直ちに行う必要はなく、当該端末装置１のユーザの操作に応じて、提案された情報を保留状態としてよい。
【００２７】
サーバ装置１００のサイト管理部１２０は、端末装置１からの依頼に応じて、指定されたユーザの識別情報を、依頼元のユーザの友達リスト１４２に登録する。これによって、登録されたユーザは、登録を要求したユーザとの間でサーバ装置１００にアップロードしたコンテンツデータを閲覧し合うことなどが可能となる。なお、サーバ装置１００は、ユーザＡがユーザＢを自分の友達リスト１４２に登録すると、自動的にユーザＢの友達リスト１４２にもユーザＡが登録されるようにしてもよいし、ユーザＢの友達リスト１４２への登録には、ユーザＢによる操作が必要であるものとしてもよい。後述する第２〜第４実施形態においても同様である。
【００２８】
図６は、第１実施形態に係る端末装置１により実行される処理の流れを示すフローチャートの一例である。まず、友達リスト登録提案部９２は、所定の提案タイミングが到来するまで待機する（ステップＳ２００）。友達リスト登録提案部９２は、所定の提案タイミングが到来すると、記憶部６０から通信履歴６２を取得し（ステップＳ２０２）、「未提案」であるユーザのうち、所定のコンテンツデータを送受信した相手先のユーザを、タッチパネル１０などを用いて提案する（ステップＳ２０４）。
【００２９】
次に、友達リスト登録依頼部９４が、当該端末装置１のユーザによりユーザの指定および確定操作がなされるまで待機し（ステップＳ２０６）、指定されたユーザを友達リストに登録するように、通信部５０を用いてサーバ装置１００に依頼する（ステップＳ２０８）。
【００３０】
以上説明した第１実施形態のユーザ管理装置（端末装置１）によれば、友達リスト登録提案部９２が、通信履歴６２に含まれる無線通信の相手先のユーザのうち所定のコンテンツデータを送受信した相手先のユーザを提案し、友達リスト登録依頼部９４が、提案されたユーザの候補のうち指定されたユーザの識別情報を友達リスト１４２に登録するようにサーバ装置１００に依頼するため、友達リスト１４２に登録されるユーザ（すなわち、対象ユーザと所定の関係に設定されるユーザ）の候補を、より適切に選別して提案することができる。
【００３１】
なお、第１実施形態において、端末装置１が、自己を使用するユーザの友達リスト１４２を作成してサーバ装置１００に送信し、サーバ装置１００は、友達リスト１４２にユーザを登録する処理などを行わず、端末装置１から受信した友達リスト１４２に基づいてコンテンツデータ１４４の提供等を行ってもよい。
【００３２】
＜第２実施形態＞
以下、本発明の第２実施形態について説明する。図７は、本発明の第２実施形態に係る複数の端末装置１―１、１―２、１―３、‥と、サーバ装置１００の機能構成を示す図である。各端末装置（以下、いずれの端末装置であるかを区別しないときは、単に端末装置１と称する）は、ネットワークＮＷを介してサーバ装置１００に接続する。第２実施形態において、サーバ装置１００がユーザ管理装置に相当する。なお、第１実施形態と共通する部分については同一の符号を付し、再度の説明を省略する。
【００３３】
先に、端末装置１について説明する。第２実施形態に係る端末装置１は、友達リスト登録提案部９２や友達リスト登録依頼部９４を備えず、所定の送信タイミングで、通信履歴６２をサーバ装置１００に送信する。端末装置１の外観構成については図２を援用する。
【００３４】
サーバ装置１００は、例えばＷｅｂサーバであり、通信部１１０と、サイト管理部１２０と、友達リスト登録提案部１３０と、記憶部１４０とを備える。友達リスト登録提案部１３０は、例えば、端末装置１から通信履歴６２が送られてきたタイミングで、通信履歴６２に含まれる無線通信の相手先のユーザのうち、所定のコンテンツデータを送受信した相手先のユーザを、送信元の端末装置１のユーザに認識させる情報を当該端末装置１に送信する。友達リスト登録提案部１３０は、例えば、上記条件に該当する「相手先のユーザ」の一覧を表示したＷｅｂページのＵＲＬを添付した電子メールを、端末装置１に送信する。
【００３５】
電子メールを受信した端末装置１のユーザがＵＲＬを選択すると、当該端末装置１は、Ｗｅｂブラウザを起動してサーバ装置１００の特定のＷｅｂページをダウンロードし、「相手先のユーザ」の一覧をタッチパネル１０に表示させる。このときのタッチパネル１０の表示画面は、図５に示すものと同様であってよい。このＷｅｂページ上で端末装置１のユーザが相手先のユーザを指定して確定操作を行うと、サイト管理部１２０が、指定されたユーザの識別情報を友達リスト１４２に追加する。これによって、登録されたユーザは、登録を要求したユーザとの間でサーバ装置１００にアップロードしたコンテンツデータを閲覧し合うことなどが可能となる。
【００３６】
以上説明した第２実施形態のユーザ管理装置（サーバ装置１００）によれば、友達リスト登録提案部１３０が、通信履歴６２に含まれる無線通信の相手先のユーザのうち、所定のコンテンツデータを送受信した相手先のユーザを提案するための情報を端末装置１に送信し、サイト管理部１２０が、提案されたユーザの候補のうち、当該端末装置１のユーザにより指定されたユーザの識別情報を友達リスト１４２に登録するため、友達リストに登録されるユーザの候補を、より適切に選別して提案することができる。
【００３７】
＜第３実施形態＞
以下、本発明の第３実施形態について説明する。端末装置１―１、１―２、１―３、‥と、サーバ装置１００の機能構成については、第１実施形態と同様であるため、図１を援用して説明を省略する。以下、いずれの端末装置であるかを区別しないときは、単に端末装置１と称する。第３実施形態において、各端末装置１がユーザ管理装置に相当する。ネットワークＮＷは、ＬＡＮ、携帯電話網、ＰＨＳ網、インターネットなどを含む。
【００３８】
図８は、本発明の第３実施形態に係る端末装置１の機能構成の一例を示す構成図である。なお、端末装置１の外観構成については図１を援用する。第３実施形態に係る端末装置１は、記憶部６０に、当該端末装置１のユーザのプロフィール情報６６を格納している。ユーザのプロフィール情報とは、例えば、サーバ装置１００が提供するコミュニティサイトに関連付られたユーザ毎の情報であり、ユーザの性別、年齢、誕生日、趣味、好きな色などを含む。
【００３９】
第３実施形態に係る友達リスト登録提案部９２は、所定の提案タイミングで通信部５０の通信履歴６２を取得し、通信履歴６２に含まれる無線通信の相手先のユーザのうち設定条件を満たすユーザを、友達リスト１４２に登録するユーザの候補として、タッチパネル１０やスピーカ７０などを用いて当該端末装置１のユーザに提案する。「所定の提案タイミング」は、例えば、（１）通信部５０が通信を行った度に、或いは（２）１時間に１回、（３）１日１回などと任意に設定することができる。
【００４０】
第３実施形態において、端末装置１同士が通信を行うと、プロフィール情報６６の一部または全部が交換され、通信相手の記憶部６０に格納される。友達リスト登録提案部９２は、通信履歴６２に含まれる無線通信の相手先のユーザのうち、プロフィール情報６６が一致または類似する相手先のユーザをユーザの候補として提案する。ここで、「一致する」とは、プロフィール情報６６の全部が一致することいい、「類似する」とは、プロフィール情報６６の一部が一致すること、或いは一部または全部が類似することをいう。「一部または全部が類似する」とは、例えば、「好きな色」が青色であるものと、「好きな色」が青色に近い水色であるものとの関係をいう。このように、友達リスト登録提案部９２は、プロフィール情報６６の各要素に数値的に幅を持たせて、ある幅の間であれば類似すると判断してよい。また、これに限らず、友達リスト登録提案部９２は、プロフィール情報の各要素がテキスト情報として一致することを条件としてもよい。
【００４１】
また、友達リスト登録提案部９２は、プロフィール情報６６の複数要素の相関関係を数値化し、その相関値が一定の範囲内であれば「類似する」と判断してもよい。例えば、友達リスト登録提案部９２は、「好きな色」が青色に対して水色、紫色など青色に近い色であれば０．５ポイントを加算し、「年齢」がプラスマイナス５歳以内であれば１ポイントを加算し、「趣味」が例えば「スポーツ」のカテゴリー内であれば０．５ポイントを加算するというようにプロフィール情報６６間の類似度を数値化し、合計値が閾値を上回った場合にプロフィール情報６６同士が類似すると判断してよい。
【００４２】
以下、第１実施形態と同様に、友達リスト登録依頼部９４は、提案されたユーザの候補のうち、当該端末装置１のユーザにより指定されたユーザの識別情報を、友達リスト１４２に登録するように、通信部５０を用いてサーバ装置１００に依頼する。なお、友達リスト１４２に登録させるユーザの指定は、提案後に直ちに行う必要はなく、当該端末装置１のユーザの操作に応じて、提案された情報を保留状態としてよい。
【００４３】
以上説明した第３実施形態のユーザ管理装置（端末装置１）によれば、友達リスト登録提案部９２が、通信履歴６２に含まれる無線通信の相手先のユーザのうちプロフィール情報６６が一致または類似する相手先のユーザを提案し、友達リスト登録依頼部９４が、提案されたユーザの候補のうち指定されたユーザの識別情報を友達リスト１４２に登録するようにサーバ装置１００に依頼するため、友達リスト１４２に登録されるユーザの候補を、より適切に選別して提案することができる。
【００４４】
なお、第３実施形態において、端末装置１が、自己を使用するユーザの友達リスト１４２を作成してサーバ装置１００に送信し、サーバ装置１００は、友達リスト１４２にユーザを登録する処理などを行わず、端末装置１から受信した友達リスト１４２に基づいてコンテンツデータ１４４の提供等を行ってもよい。
【００４５】
また、第３実施形態において、端末装置１がそれぞれプロフィール情報６６を保持して通信の際に交換するのではなく、サーバ装置１００が各端末装置１のプロフィール情報を記憶部１４０に登録してもよい。図９は、第３実施形態において、プロフィール情報１４６をサーバ装置１００が保持する場合に行われる処理を模式的に示す図である。この場合、友達リスト登録提案部９２は、通信履歴６２に含まれる無線通信の相手先のユーザのプロフィール情報１４６をサーバ装置１００から取得し、取得したプロフィール情報が一致または類似する相手先のユーザを、友達リスト１４２に登録するユーザの候補として提案する。
【００４６】
＜第４実施形態＞
以下、本発明の第４実施形態について説明する。図１０は、本発明の第４実施形態に係る複数の端末装置１―１、１―２、１―３、‥と、サーバ装置１００の機能構成を示す図である。各端末装置（以下、いずれの端末装置であるかを区別しないときは、単に端末装置１と称する）は、ネットワークＮＷを介してサーバ装置１００に接続する。第４実施形態において、サーバ装置１００がユーザ管理装置に相当する。なお、第１実施形態と共通する部分については同一の符号を付し、再度の説明を省略する。
【００４７】
先に、端末装置１について説明する。第４実施形態に係る端末装置１は、友達リスト登録提案部９２や友達リスト登録依頼部９４を備えず、所定の送信タイミングで、通信履歴６２をサーバ装置１００に送信する。端末装置１の外観構成については図２を援用する。
【００４８】
サーバ装置１００は、例えばＷｅｂサーバであり、通信部１１０と、サイト管理部１２０と、友達リスト登録提案部１３０と、記憶部１４０とを備える。記憶部１４０には、各端末装置１のユーザのプロフィール情報が、端末装置１またはユーザの識別情報と共に登録されている。友達リスト登録提案部１３０は、例えば、端末装置１から通信履歴６２が送られてきたタイミングで、通信履歴６２に含まれる無線通信の相手先のユーザのうち、プロフィール情報１４６が、送信元の端末装置１のユーザのプロフィール情報１４６と一致または類似する相手先のユーザを、送信元の端末装置１のユーザに認識させる情報を当該端末装置１に送信する。友達リスト登録提案部１３０は、例えば、上記条件に該当する「相手先のユーザ」の一覧を表示したＷｅｂページのＵＲＬを添付した電子メールを、端末装置１に送信する。「一致または類似する」の定義については、第３実施形態と同様である。
【００４９】
電子メールを受信した端末装置１のユーザがＵＲＬを選択すると、当該端末装置１は、Ｗｅｂブラウザを起動してサーバ装置１００の特定のＷｅｂページをダウンロードし、「相手先のユーザ」の一覧をタッチパネル１０に表示させる。このＷｅｂページ上で端末装置１のユーザが相手先のユーザを指定して確定操作を行うと、サイト管理部１２０が、指定されたユーザの識別情報を友達リスト１４２に追加する。これによって、登録されたユーザは、登録を要求したユーザとの間でサーバ装置１００にアップロードしたコンテンツデータを閲覧し合うことなどが可能となる。
【００５０】
以上説明した第４実施形態のユーザ管理装置（サーバ装置１００）によれば、友達リスト登録提案部１３０が、通信履歴６２に含まれる無線通信の相手先のユーザのうち、プロフィール情報１４６同士が一致または類似する相手先のユーザを提案するための情報を端末装置１に送信し、サイト管理部１２０が、提案されたユーザの候補のうち、当該端末装置１のユーザにより指定されたユーザの識別情報を友達リスト１４２に登録するため、友達リスト１４２に登録されるユーザの候補を、より適切に選別して提案することができる。
【００５１】
以上、本発明を実施するための形態について実施例を用いて説明したが、本発明はこうした実施例に何等限定されるものではなく、本発明の要旨を逸脱しない範囲内において種々の変形及び置換を加えることができる。
【００５２】
例えば、上記各実施形態では、友達リスト１４２に登録されるユーザの候補として提案するユーザの条件として、（Ａ）コンテンツデータを送受信したこと、（Ｂ）プロフィール情報の一致または類似を挙げたが、これらの他に、端末装置１の特定機能（例えば撮像部４０）の使用頻度などが類似していることなど、他の条件を設定してもよい。
【００５３】
また、ネットワークシステムにおいて、あるユーザＡと所定の関係に設定されることの具体例として、ユーザＡの友達リスト１４２に登録され、ユーザＡとの間でコンテンツデータ１４４の相互利用等が可能となることを例示したが、これに限られない。例えば、ユーザＡと所定の関係に設定されることは、ユーザＡが属するグループであって、グループ内でコンテンツの相互利用等が可能なグループに登録されることであってもよい。
【符号の説明】
【００５４】
１‥端末装置、１０‥タッチパネル、２０‥本体部、３０‥背面カバー、４０‥撮像部、５０‥通信部、６０‥記憶部、６２‥通信履歴、６４‥コンテンツデータ、６６‥プロフィール情報、７０‥スピーカ、８０‥振動発生部、９０‥制御部、９２‥友達リスト登録提案部、９４‥友達リスト登録依頼部、１００‥サーバ装置、１１０‥通信部、１２０‥サイト管理部、１３０‥友達リスト登録提案部、１４０‥記憶部、１４２‥友達リスト、１４４‥コンテンツデータ、１４６‥プロフィール情報、ＮＷ‥ネットワーク
【図１】
2015072603.tif 000003
【図２】
2015072603.tif 000004
【図３】
2015072603.tif 000005
【図４】
2015072603.tif 000006
【図５】
2015072603.tif 000007
【図６】
2015072603.tif 000008
【図７】
2015072603.tif 000009
【図８】
2015072603.tif 000010
【図９】
2015072603.tif 000011
【図１０】
2015072603.tif 000012